(57)【特許請求の範囲】
【請求項１】
通信サービス圏外所在時に止まり木スキャンを実行する移動電話装置において、
止まり木スキャンの対象となる全ての止まり木チャンネルに関する情報を格納するチャンネル格納手段と、
前記チャンネル格納手段に格納された止まり木チャンネルの一部を登録するチャンネル登録手段と、
止まり木スキャンを実行するスキャン実行手段とを備え、
前記スキャン実行手段は、移動電話装置が通信サービス圏外に移動する場合における移動元の通信サービス圏に対応する止まり木チャンネル、及び、移動電話装置が通信サービス圏内に移動して制御チャンネルを起動する場合における移動先の通信サービス圏に対応する止まり木チャンネルを、前記チャンネル登録手段に登録し、所定時間が経過する毎に、前記チャンネル格納手段に格納された全ての止まり木チャンネルのスキャンと前記チャンネル登録手段に登録された止まり木チャンネルのスキャンとの一方を選択的に実行する、
ことを特徴とする移動電話装置。
【請求項２】
前記スキャン実行手段は、前記チャンネル格納手段に格納された全ての止まり木チャンネルのスキャンと前記チャンネル登録手段に登録された止まり木チャンネルのスキャンとを交互に実行する、
ことを特徴とする請求項１に記載の移動電話装置。
【請求項３】
前記スキャン実行手段は、前記チャンネル登録手段に止まり木チャンネルを登録する際、登録に係る止まり木チャンネルが既に前記チャンネル登録手段に登録されていると、当該止まり木チャンネルの登録を一旦消去して再び登録し、登録に係る止まり木チャンネルが前記チャンネル登録手段に登録されていないと、前記チャンネル登録手段に登録されている止まり木チャンネルのうち、登録されてから最も時間の経過した止まり木チャンネルを登録に係る止まり木チャンネルと置換する、
ことを特徴とする請求項１又は２に記載の移動電話装置。
【請求項４】
前記スキャン実行手段に、現在地をカバーするセクタの止まり木チャンネルを前記チャンネル登録手段へ登録させる登録指示手段を備える、
ことを特徴とする請求項１、２又は３に記載の移動電話装置。
【請求項５】
前記スキャン実行手段は、一定の時間継続して通信可能な受信レベルにあった止まり木チャンネルのみを前記チャンネル登録手段に登録する、
ことを特徴とする請求項１から４のいずれか１項に記載の移動電話装置。
【請求項６】
移動電話装置が通信サービス圏外に移動すると移動元の通信サービス圏に対応する止まり木チャンネルを登録し、移動電話装置が通信サービス圏内に移動して制御チャンネルを起動すると移動先の通信サービス圏に対応する止まり木チャンネルを登録し、移動電話装置が通信サービス圏外にあるとき、所定時間が経過する毎に、全ての止まり木チャンネルのスキャンと登録された止まり木チャンネルのみのスキャンとの一方を選択的に実行する、
ことを特徴とする圏外待受方法。
【請求項７】
全ての止まり木チャンネルのスキャンと登録された止まり木チャンネルのみのスキャンとを交互に実行する、
ことを特徴とする請求項６に記載の圏外待受方法。
【請求項８】
止まり木チャンネルを登録する際、登録に係る止まり木チャンネルが既に登録されていると、当該止まり木チャンネルの登録を一旦消去して再び登録し、登録に係る止まり木チャンネルが登録されていないと、登録されている止まり木チャンネルのうち、登録されてから最も時間の経過した止まり木チャンネルを登録に係る止まり木チャンネルと置換する、
ことを特徴とする請求項６又は７に記載の圏外待受方法。
【請求項９】
キー操作に従って、現在地をカバーするセクタの止まり木チャンネルを登録する、
ことを特徴とする請求項６、７又は８に記載の圏外待受方法。
【請求項１０】
一定の時間継続して通信可能な受信レベルにあった止まり木チャンネルのみを登録する、
ことを特徴とする請求項６から９のいずれか１項に記載の圏外待受方法。
【発明の詳細な説明】
【０００１】
【発明の属する技術分野】
この発明は、無線により通信を行う移動電話装置に係り、特に、通信サービス圏外所在時の消費電力を低減可能な移動電話装置に関する。
【０００２】
【従来の技術】
携帯電話、ＰＨＳ（Ｐｅｒｓｏｎａｌ  Ｈａｎｄｙｐｈｏｎｅ  Ｓｙｓｔｅｍ）等のディジタル方式移動電話装置は、電源投入時や通信サービス圏外所在時に、基地局が提供する制御チャンネルから有効なチャンネルを起動するため、止まり木スキャンと呼ばれる処理を実行する。
【０００３】
従来のディジタル方式移動電話装置が通信サービス圏外所在時に実行する止まり木スキャンについて図１１を参照して説明する。
移動電話装置は、通信サービス圏外にあることを検出すると、止まり木スキャンの対象となるチャンネル（止まり木チャンネル）用として設定された全ての周波数の信号について受信レベルを測定する（ステップＳ２０）。
【０００４】
次に、移動電話装置は、測定した止まり木チャンネルに基地局との間で安定した通信を行えるレベルのものがあるか否かを判別する（ステップＳ２１）。
【０００５】
移動電話装置は、通信を行えるレベルにあるチャンネルがないと判別すると（ステップＳ２１にてＮＯ）、一定時間待機した後、ステップＳ２０にリターンして再び全ての周波数の信号について受信レベルを測定する（ステップＳ２４）。
【０００６】
一方、移動電話装置は、通信を行えるレベルにあるチャンネルがあると判別すると（ステップＳ２１にてＹＥＳ）、制御チャンネルの起動を試みる（ステップＳ２２）。移動電話装置は、起動に成功すると待ち受け状態に遷移し、失敗すると、一定時間待機した後、再び止まり木スキャンを繰り返す（ステップＳ２３、Ｓ２４）。
【０００７】
【発明が解決しようとする課題】
上記従来技術では、移動電話装置は、待ち受け状態に遷移できるまで、一定時間が経過する毎に全ての止まり木チャンネルについて受信レベルを測定して制御チャンネルの起動を試みる。
このため、従来の移動電話装置は、電源が投入された状態で、基地局からの電波が届きにくく無線通信が行えない通信サービス圏外に置かれると、急速に電池を消耗する。
【０００８】
この発明は、上記実状に鑑みてなされたものであり、通信サービス圏外所在時の消費電力を低減する移動電話装置を提供することを目的とする。
【０００９】
【課題を解決するための手段】
上記目的を達成するべく、この発明の第１の観点に係る移動電話装置は、
通信サービス圏外所在時に止まり木スキャンを実行する移動電話装置において、
止まり木スキャンの対象となる全ての止まり木チャンネルに関する情報を格納するチャンネル格納手段と、
前記チャンネル格納手段に格納された止まり木チャンネルの一部を登録するチャンネル登録手段と、
止まり木スキャンを実行するスキャン実行手段とを備え、
前記スキャン実行手段は、移動電話装置が通信サービス圏外に移動する場合における移動元の通信サービス圏に対応する止まり木チャンネル、及び、移動電話装置が通信サービス圏内に移動して制御チャンネルを起動する場合における移動先の通信サービス圏に対応する止まり木チャンネルを、前記チャンネル登録手段に登録し、所定時間が経過する毎に、前記チャンネル格納手段に格納された全ての止まり木チャンネルのスキャンと前記チャンネル登録手段に登録された止まり木チャンネルのスキャンとの一方を選択的に実行することを特徴とする。
【００１０】
このような構成によれば、スキャン実行手段は、チャンネル格納手段に格納された全ての止まり木チャンネルのスキャンと、チャンネル登録手段に登録された止まり木チャンネルのスキャンの一方を選択的に実行する。この結果、チャンネル登録手段に登録する止まり木チャンネルの数を少なくしておくことで、止まり木スキャンの対象となる止まり木チャンネルの数を低減し、通信サービス圏外所在時の消費電力を低減することができる。
【００１１】
前記スキャン実行手段は、前記チャンネル格納手段に格納された全ての止まり木チャンネルのスキャンと前記チャンネル登録手段に登録された止まり木チャンネルのスキャンとを交互に実行することが望ましい。
【００１２】
前記スキャン実行手段は、前記チャンネル登録手段に止まり木チャンネルを登録する際、登録に係る止まり木チャンネルが既に前記チャンネル登録手段に登録されていると、当該止まり木チャンネルの登録を一旦消去して再び登録し、登録に係る止まり木チャンネルが前記チャンネル登録手段に登録されていないと、前記チャンネル登録手段に登録されている止まり木チャンネルのうち、登録されてから最も時間の経過した止まり木チャンネルを登録に係る止まり木チャンネルと置換するようにしてもよい。
これにより、過去の移動経歴に基づいて、起動できる可能性が高い止まり木チャンネルをチャンネル登録手段に登録して、圏内に復帰する時間が大幅に遅れることなく、通信サービス圏外所在時の消費電力を低減することができる。
【００１３】
前記スキャン実行手段に、現在地をカバーするセクタの止まり木チャンネルを前記チャンネル登録手段へ登録させる登録指示手段を備えてもよい。
【００１４】
前記スキャン実行手段は、一定の時間継続して通信可能な受信レベルにあった止まり木チャンネルのみを前記チャンネル登録手段に登録してもよい。
【００１５】
また、この発明の第２の観点に係る圏外待受方法は、
移動電話装置が通信サービス圏外に移動すると移動元の通信サービス圏に対応する止まり木チャンネルを登録し、移動電話装置が通信サービス圏内に移動して制御チャンネルを起動すると移動先の通信サービス圏に対応する止まり木チャンネルを登録し、移動電話装置が通信サービス圏外にあるとき、所定時間が経過する毎に、全ての止まり木チャンネルのスキャンと登録した止まり木チャンネルのみのスキャンとの一方を選択的に実行することを特徴とする。
【００１６】
この発明によれば、全ての止まり木チャンネルのスキャンと登録した止まり木チャンネルのみのスキャンの一方を選択的に実行する。この結果、登録する止まり木チャンネルの数を少なくしておくことで、止まり木スキャンの対象となる止まり木チャンネルの数を低減し、通信サービス圏外所在時の消費電力を低減することができる。また、全ての止まり木チャンネルのスキャンと登録した止まり木チャンネルのスキャンとを交互に実行するようにしてもよい。
【００１７】
圏内に復帰する時間が大幅に遅れることなく消費電力を低減するためには、起動できる可能性の高い止まり木チャンネルのみを登録しておくのがよい。そこで、止まり木チャンネルを登録する際、登録に係る止まり木チャンネルが既に登録されていると、当該止まり木チャンネルの登録を一旦消去して再び登録し、登録に係る止まり木チャンネルが登録されていないと、登録されている止まり木チャンネルのうち、登録されてから最も時間の経過した止まり木チャンネルを登録に係る止まり木チャンネルと置換してもよい。
【００１８】
また、キー操作に従って、現在地をカバーするセクタの止まり木チャンネルを登録するようにしてもよい。
また、一定の時間継続して通信可能な受信レベルにあった止まり木チャンネルのみを登録してもよい。
【００１９】
【発明の実施の形態】
以下に、図面を参照して、この発明の実施の形態に係る移動電話装置について詳細に説明する。
【００２０】
図１は、この発明の実施の形態に係る移動電話装置１００の構成を示す図である。
図示するように、移動電話装置１００は、制御部１と、表示部２と、通信処理部３と、記憶部４と、キー入力部５と、音声入出力部６と、アンテナ７とから構成される。
【００２１】
制御部１は、ＣＰＵ（Ｃｅｎｔｒａｌ  Ｐｒｏｃｅｓｓｉｎｇ  Ｕｎｉｔ）等から構成され、この移動電話装置１００全体の動作を制御するためのものであり、特に、移動電話装置１００が通信サービス圏外にある時に、記憶部４に記憶されている情報に従って止まり木スキャンを実行するためのものである。
【００２２】
表示部２は、ＬＣＤ（Ｌｉｑｕｉｄ  Ｃｒｙｓｔａｌ  Ｄｉｓｐｌａｙ）等から構成され、制御部１が実行した処理の結果を表示する結果表示部である。
【００２３】
通信処理部３は、移動電話装置１００が無線通信を可能とするためのものであり、ＲＦ信号処理部１０と、ベースバンド信号処理部１１とを備える。
【００２４】
ＲＦ信号処理部１０は、直交変調器、ＲＦアンプ、ミキサ等から構成され、基地局との間で送受信する無線信号の変調・復調を行うための無線信号処理部である。
より具体的には、ＲＦ信号処理部１０は、ベースバンド信号処理部１１から受けたベースバンド信号を搬送するための高周波信号を生成してアンテナ７に供給する。また、ＲＦ信号処理部１０は、アンテナ７が受信した無線信号からベースバンド信号を復調してベースバンド信号処理部１１に送る。
また、ＲＦ信号処理部１０は、アンテナ７が受信した無線信号から通信用に割り当てられた周波数帯の信号を取り出すための局部発振信号を生成するＰＬＬ回路２０と、無線信号の受信レベルを測定するレベル測定器２１とを備える。
【００２５】
ＰＬＬ回路２０は、ＶＣＯ（Ｖｏｌｔａｇｅ  Ｃｏｎｔｒｏｌｌｅｄ  Ｏｓｃｉｌｌａｔｏｒ）、位相比較器、プリスケーラ、プログラマブルカウンタ等から構成され、アンテナ７が受信した信号に周波数と位相が同期した局部発振信号を生成する位相同期回路である。ＰＬＬ回路２０は、制御部１が設定する周波数の局部発振信号を生成し、ミキサによりアンテナ７が受信した信号と掛け合わせる等して、通信用に割り当てられた周波数帯の信号を取り出し可能とする。
【００２６】
レベル測定器２１は、ＰＬＬ回路２０が局部発振信号の周波数と位相を同期させた無線信号の受信レベルを測定し、制御部１に通知する信号レベル測定回路である。
【００２７】
ベースバンド信号処理部１１は、時分割多重化回路、コーデック等から構成され、ＲＦ信号処理部１０が復調したベースバンド信号から制御部１が処理可能な信号を取り出したり、音声信号を取り出して音声入出力部６に出力したりするためのものである。
【００２８】
記憶部４は、フラッシュメモリ、ＳＲＡＭ（Ｓｔａｔｉｃ  Ｒａｎｄｏｍ  Ａｃｃｅｓｓ  Ｍｅｍｏｒｙ）等から構成され、制御部１の動作を規定するプログラムやデータを格納するためのものである。
記憶部４は、チャンネル格納部３０と、チャンネル登録部３１と、スキャンモードフラグ３２とを備える。
【００２９】
チャンネル格納部３０は、止まり木スキャンの対象となる全ての止まり木チャンネルに関する情報を格納するためのものである。すなわち、チャンネル格納部３０は、各止まり木チャンネルとそれに対応する周波数情報を格納するためのものである。
より具体的には、チャンネル格納部３０は、例えば、止まり木チャンネルの識別番号と止まり木チャンネル用に設定された無線信号の周波数（止まり木用周波数）とを関連付けて記憶している。これにより、制御部１が止まり木スキャンを行う際に、ＰＬＬ回路２０が生成する局部発振信号の周波数の設定を可能にする。また、レベル測定器２１が受信レベルを測定する無線信号に対応した止まり木チャンネルの識別を可能にする。
【００３０】
チャンネル登録部３１は、止まり木チャンネルのうちの一部（例えば、メモリ容量により定まるＮ個の止まり木チャンネル）を登録するためのものである。
チャンネル登録部３１は、移動電話装置１００が基地局からの電波が届きにくく無線通信が行えない通信サービス圏外に移動すると、制御部１によって、移動元の通信サービス圏に対応する止まり木チャンネルが登録される。すなわち、チャンネル登録部３１には、通信サービス圏外への移動時に、それまで使用していた制御チャンネルに対応する止まり木チャンネルの識別番号が記録される。
また、チャンネル登録部３１は、移動電話装置１００が通信サービス圏内に移動して制御チャンネルを起動すると、制御部１によって、移動先の通信サービス圏に対応する止まり木チャンネルが登録される。すなわち、チャンネル登録部３１には、通信サービス圏内への移動時に、制御チャンネルを起動する際に用いた止まり木チャンネルの識別番号が記録される。
そして、チャンネル登録部３１が登録する止まり木チャンネルは、スキャンモードフラグ３２が”１”の状態で制御部１が止まり木スキャンを実行する際に、受信レベルを測定する対象になる。
【００３１】
スキャンモードフラグ３２は、制御部１が止まり木スキャンを実行する際の動作を規定するためのものである。すなわち、スキャンモードフラグ３２は、制御部１がチャンネル格納部３０に格納された全止まり木チャンネルをスキャンした後、”１”にセットされる。また、スキャンモードフラグ３２は、制御部１がチャンネル登録部３１に登録された止まり木チャンネルをスキャンした後”０”にリセットされる。
スキャンモードフラグ３２は、”１”にセットされると、止まり木スキャンの際、制御部１にチャンネル登録部３１が登録している止まり木チャンネルから起動可能なものを探索させる。また、スキャンモードフラグ３２は、”０”にリセットされると、止まり木スキャンの際、制御部１にチャンネル格納部３０が格納している全ての止まり木チャンネルから起動可能なものを探索させる。
【００３２】
キー入力部５は、キーパッド等から構成され、ユーザが命令を入力するためのものである。
【００３３】
音声入出力部６は、スピーカ、マイク等から構成され、音声信号を電気信号に変換し、電気信号を音声信号に変換する信号変換部である。
【００３４】
次に、上述の構成を有する移動電話装置１００が適用される無線通信システムについて説明する。
【００３５】
図２は、この発明の実施の形態に係る移動電話装置１００が適用される無線通信システムの一例を示す図である。
図示するように、この無線通信システムは、移動通信網１５０を介して相互に接続された複数の基地局Ｂｓと、移動電話装置１００の位置を登録するＨＬＲ（Ｈｏｍｅ  Ｌｏｃａｔｉｏｎ  Ｒｅｇｉｓｔｅｒ）とを備えている。
また、移動通信網１５０は、電話ＰｎやコンピュータＣｐが接続された公衆回線網１６０にも接続され、移動電話装置１００と電話Ｐｎ及びコンピュータＣｐとの間での通信を可能とする。
【００３６】
基地局Ｂｓは、移動電話装置１００と無線回線で結合することにより信号の送受を可能とする。
また、各基地局Ｂｓは、図３に示すように、通信サービス圏Ａｒをカバーするように設置されている。
さらに、各基地局Ｂｓは、図４に示すように、複数のセクタＳｃ１〜Ｓｃ３からなり、各セクタＳｃ１〜Ｓｃ３がそれぞれゾーンＺｎ１〜Ｚｎ３をカバーする無線信号を送出することにより、通信サービス圏Ａｒを形成している。
【００３７】
各基地局ＢｓのセクタＳｃ１〜Ｓｃ３には、それぞれ異なる周波数帯が割り当てられ、各セクタＳｃ１〜Ｓｃ３は、割り当てられた周波数帯の無線信号により移動電話装置１００との間でデータを送受信する。
また、セクタＳｃ１〜Ｓｃ３には、止まり木チャンネル用に設定された止まり木用周波数と、通信チャンネル（通話チャンネル、制御チャンネル）用に設定された複数の周波数が割り当てられている。
【００３８】
また、各基地局Ｂｓは、無線信号により連続してデータを送信している。
図５は、各基地局Ｂｓが送信するデータの構成を示す図である。図示するように、このデータは、１８個のフレームｆｒ１〜ｆｒ１８からなるスーパーフレームｓｆを１つの単位とし、各フレームｆｒ１〜ｆｒ１８はそれぞれ６個のスロットｓｌ１〜ｓｌ６を備えている。
また、各スロットｓｌ１〜ｓｌ６には特定のビット列からなる同期ワードＳｗが含まれており、移動電話装置１００は、同期ワードＳｗにより、連続して送られてくる信号列の中から、各種情報の位置を特定することができる。
基地局Ｂｓが送信するデータは、スロット毎に通話用の通話チャンネルと待ち受け用や止まり木スキャン用の制御チャンネルが割り当てられ、ＴＤＭＡ（Ｔｉｍｅ
Ｄｉｖｉｓｉｏｎ  Ｍｕｌｔｉｐｌｅ  Ａｃｃｅｓｓ）を実現している。
【００３９】
次に、この発明の実施の形態に係る移動電話装置の動作を説明する。
この移動電話装置は、止まり木スキャンを実行する際、一定時間が経過する毎に、全ての止まり木チャンネルのスキャンと、起動する可能性の高い止まり木チャンネルのスキャンとを交互に実行することにより、通信サービス圏外所在時の消費電力を低減する移動電話装置である。
【００４０】
移動電話装置１００の制御部１は、レベル測定器２１が測定する無線信号の受信レベルが低下し、通信サービス圏内から圏外へと移動したことを検出すると、図６のフローチャートに示す圏外遷移処理を開始する。
【００４１】
制御部１は、圏外遷移処理を開始すると、スキャンモードフラグ３２をリセットする。すなわち、制御部１は、スキャンモードフラグ３２を初期化して”０”とする（ステップＳ１）。
【００４２】
次に、制御部１は、移動元の通信サービス圏に対応する止まり木チャンネルをチャンネル登録部３１に登録する。すなわち、制御部１は、移動電話装置１００が圏外に移動するまで使用していた制御チャンネルの起動に用いた止まり木チャンネルを、チャンネル登録部３１に登録する（ステップＳ２）。
【００４３】
この際、制御部１は、以下のようにして止まり木チャンネルをチャンネル登録部３１に登録する。
すなわち、制御部１は、登録に係る止まり木チャンネルが既にチャンネル登録部３１に登録されていると、その止まり木チャンネルの登録を一旦消去した後、再び登録する。また、制御部１は、登録に係る止まり木チャンネルがチャンネル登録部３１に登録されていないと、登録されてから最も時間の経過した止まり木チャンネルを登録に係る止まり木チャンネルに置換する。
これにより、移動電話装置１００は、過去の移動経歴に基づいて、起動できる可能性の高い止まり木チャンネルをチャンネル登録部３１に登録しておくことが出来る。
【００４４】
この後、制御部１は、止まり木スキャン処理を実行する（ステップＳ３）。すなわち、制御部１は、通信サービス圏内に復帰するための処理を実行し、制御チャンネルが起動された待ち受け状態への遷移を試みる。なお、止まり木スキャン処理の詳細については後述する。
【００４５】
制御部１は、止まり木スキャン処理の結果から、通信サービス圏内に復帰が可能であるか否かを判別する（ステップＳ４）。
【００４６】
制御部１は、通信サービス圏内に復帰が可能であると判別すると（ステップＳ４にてＹＥＳ）、移動先の通信サービス圏に対応した止まり木チャンネルをチャンネル登録部３１に登録した後、待ち受け状態に遷移して圏外遷移処理を終了する（ステップＳ５）。
【００４７】
一方、制御部１は、通信サービス圏内に復帰できないと判別すると（ステップＳ４にてＮＯ）、表示部２に移動電話装置１００が通信サービス圏外にあることを表示させると共に、計時を開始して（ステップＳ６）、一定時間経過するのを待つ（ステップＳ７にてＮＯ）。ここで、制御部１が待機する一定時間は、圏内復帰の速さと電池の消耗の速さを考慮して予め定められているものである。
【００４８】
一定時間が経過すると（ステップＳ７にてＹＥＳ）、制御部１は、スキャンモードフラグ３２を反転する（ステップＳ８）。すなわち、制御部１は、スキャンモードフラグ３２が”０”であれば”１”にセットし、”１”であれば”０”にリセットする。
【００４９】
この後、処理はステップＳ３にリターンして、制御部１は、再び止まり木スキャン処理を実行する。
【００５０】
次に、上記圏外遷移処理のステップＳ３にて制御部１が実行する止まり木スキャン処理について、図７に示すフローチャートを参照して説明する。
【００５１】
制御部１は、止まり木スキャン処理を開始すると、スキャンモードフラグ３２に従って動作を切り替える（ステップＳ１０）。
【００５２】
すなわち、制御部１は、スキャンモードフラグ３２が”０”であると判別すると（ステップＳ１０にて”０”）、チャンネル格納部３０に格納された全ての止まり木チャンネルに関する情報（止まり木用周波数）を読み出す（ステップＳ１１）。
【００５３】
一方、制御部１は、スキャンモードフラグ３２が”１”であると判別すると（ステップＳ１０にて”１”）、チャンネル登録部３１に登録されている止まり木チャンネルに関する情報（止まり木用周波数）をチャンネル格納部３０から読み出す（ステップＳ１２）。
【００５４】
制御部１は、チャンネル格納部３０から読み出した情報に従って、ＰＬＬ回路２０が生成する局部発振信号の周波数を止まり木用周波数に設定する（ステップＳ１３）。これにより、制御部１は、ＲＦ信号処理部１０に止まり木用周波数の信号を選択的に受信させ、レベル測定器２１が止まり木用周波数の信号について受信レベルを測定できるようにする。
【００５５】
この後、レベル測定器２１は、止まり木用周波数の信号の受信レベルを測定して制御部１に通知する（ステップＳ１４）。
【００５６】
制御部１は、レベル測定器２１から通知された受信レベルから、起動可能な止まり木チャンネルがあるか否かを判別する（ステップＳ１５）。すなわち、制御部１は、レベル測定器２１から受けた止まり木用周波数の信号の受信レベルを基準値と比較し、受信レベルが基準値より大きいものがあるか否かを判別する。
【００５７】
制御部１は、起動可能な止まり木チャンネルがないと判別すると（ステップＳ１５にてＮＯ）、ステップＳ１８に処理を進めて、圏内に復帰できないとして止まり木スキャン処理を終了し、図６のステップＳ４に処理を進める。
【００５８】
一方、制御部１は、起動可能な止まり木チャンネルがあると判別すると（ステップＳ１５にてＹＥＳ）、該当する制御チャンネルの起動を試みる（ステップＳ１６）。すなわち、制御部１は、基地局Ｂｓから受信したデータとの同期を確立し、待ち受けに使う周波数・スロットへの移行を試みる。
【００５９】
制御部１は、待ち受け用の制御チャンネルが起動できるか否かを判別する（ステップＳ１７）。この際、制御部１は、基地局Ｂｓから受信した止まり木チャンネルのデータに含まれている規制情報を読み取る等して、待ち受け用の制御チャンネルが起動できるか否かを判別する。
【００６０】
制御部１は、待ち受け用の制御チャンネルが起動できないと判別すると（ステップＳ１７にてＮＯ）、ステップＳ１８に処理を進めて、圏内に復帰できないとして止まり木スキャン処理を終了し、図６のステップＳ４に処理を進める。
【００６１】
一方、制御部１は、待ち受け用の制御チャンネルが起動できると判別すると（ステップＳ１７にてＹＥＳ）、ステップＳ１９に処理を進めて、圏内に復帰できるとして止まり木スキャン処理を終了し、図６のステップＳ４に処理を進める。
【００６２】
このように、制御部１は、止まり木スキャンの対象とする止まり木チャンネルを、スキャンモードフラグ３２に従って、チャンネル格納部３０に格納された全止まり木チャンネルとチャンネル登録部３１に登録された止まり木チャンネルとで交互に切り替えてチャンネルの起動を試みる。
【００６３】
また、チャンネル登録部３１に登録されている止まり木チャンネルの数は、チャンネル格納部３０が格納する全ての止まり木チャンネルの数に比べて十分小さい。
従って、チャンネル登録部３１に登録されている止まり木チャンネルのみをスキャンの対象とする際（スキャンモードフラグ３２が”１”の時の止まり木スキャン処理）に移動電話装置１００が消費する電力は、全ての止まり木チャンネルをスキャンの対象とする際（スキャンモードフラグ３２が”０”の時の止まり木スキャン処理）に比べて大幅に低減されたものとなる。これにより、移動電話装置１００は、通信サービス圏外所在時の消費電力を低減することができる。
【００６４】
例えば、図８に示すように、ユーザが、セクタＳｃ１０がカバーするゾーンＺｎ１０内にある自宅Ｈｍに電源の投入されている移動電話装置１００を携帯して入ったものとする。
自宅Ｈｍ内では、基地局Ｂｓからの無線信号が届きにくく、移動電話装置１００のレベル測定器２１が測定する受信レベルが低下し、制御部１は、移動電話装置１００が圏外に移動したことを検出する。
【００６５】
制御部１は、移動電話装置１００がゾーンＺｎ１０から圏外に移動したことを検出すると、ゾーンＺｎ１０をカバーするセクタＳｃ１０の止まり木チャンネルをチャンネル登録部３１に登録する。
【００６６】
この後、制御部１は、移動電話装置１００が自宅Ｈｍにある間、一定時間が経過するごとに、チャンネル格納部３０が格納する全ての止まり木チャンネルのスキャンと、チャンネル登録部３１に登録されている止まり木チャンネルのスキャンを交互に実行する。
【００６７】
ここで、図９に示すように、ユーザが移動電話装置１００を携帯して自宅Ｈｍ内から屋外に移動すると、制御部１は、止まり木スキャン処理を実行することにより、制御チャンネルを起動することができる。この際、ゾーンＺｎ１０の止まり木チャンネルは、チャンネル登録部３１に登録されている。従って、制御部１は、スキャンモードフラグ３２が”０”であるか”１”であるかに関わらず、止まり木スキャン処理を１回実行することによりゾーンＺｎ１０の止まり木チャンネルを起動することができる。
【００６８】
さらに、この後、図１０に示すように、ユーザが移動電話装置１００を携帯して、自宅ＨｍがあるゾーンＺｎ１０から通信サービス圏外を経由し、セクタＳｃ２０がカバーするゾーンＺｎ２０に移動するものとする。ここで、セクタＳｃ２０の止まり木チャンネルは、チャンネル登録部３１に登録されていないものとする。
【００６９】
この場合には、制御部１は、移動電話装置１００がゾーンＺｎ２０に移動した後、スキャンモードフラグ３２が”１”の状態で止まり木スキャン処理を実行すると、セクタＳｃ２０の止まり木チャンネルを起動することができない。
【００７０】
しかし、制御部１は、スキャンモードフラグ３２が”０”の状態で止まり木スキャン処理を実行すると、セクタＳｃ２０の止まり木チャンネルを起動することができる。制御部１は、ゾーンＺｎ２０にて止まり木チャンネルを起動すると、セクタＳｃ２０の止まり木チャンネルをチャンネル登録部３１に登録する。従って、以後、制御部１は、移動電話装置１００が再び通信サービス圏外からゾーンＺｎ２０に移動すると、スキャンモードフラグ３２に関係なく、止まり木スキャン処理を１回実行することでセクタＳｃ２０の止まり木チャンネルを起動することができる。
【００７１】
以上説明したように、この移動電話装置１００は、通信サービス圏外にある時に、全ての止まり木チャンネルのスキャンと、チャンネル登録部３１に登録された止まり木チャンネルのスキャンを交互に実行する。これにより、止まり木スキャンの対象となる止まり木チャンネルの数を低減し、通信サービス圏外所在時の消費電力を低減することができる。また、チャンネル登録部３１には、過去の移動経歴に基づいて、起動できる可能性の高い止まり木チャンネルが登録されることから、圏内に復帰する時間が大きく遅れることはない。
【００７２】
この発明は、上記実施の形態に限定されず、様々な変形及び応用が可能である。
例えば、チャンネル登録部３１に登録される止まり木チャンネルは、ユーザがキー入力部５を操作して、現在地をカバーするセクタの止まり木チャンネルを登録できるようにしてもよい。
【００７３】
また、制御部１は、止まり木チャンネルをチャンネル登録部３１に登録する際、一定の時間継続して通信可能な受信レベルにあった止まり木チャンネルのみを登録する等の制限を設けるようにしてもよい。これにより、単に近くを通過したに過ぎないゾーンをカバーするセクタの止まり木チャンネルは登録せず、より起動できる可能性の高い止まり木チャンネルのみを登録することが可能である。
【００７４】
【発明の効果】
以上の説明のように、この発明は、止まり木スキャンを行う際、全ての止まり木チャンネルのスキャンと、起動できる可能性の高い止まり木チャンネルのみのスキャンとを交互に行う。これにより、通信サービス圏外にある時の消費電力を低減することができる。
【図面の簡単な説明】
【図１】この発明の実施の形態に係る移動電話装置の構成を示す図である。
【図２】この発明の実施の形態に係る移動電話装置が適用される通信システムの構成を示す図である。
【図３】基地局がカバーする通信サービス圏を説明するための図である。
【図４】通信サービス圏を形成するゾーンを説明するための図である。
【図５】各基地局が送信するデータの構成を示す図である。
【図６】圏外遷移処理を説明するためのフローチャートである。
【図７】止まり木スキャン処理を説明するためのフローチャートである。
【図８】この発明の実施の形態に係る移動電話装置の実施例を説明するための図である。
【図９】この発明の実施の形態に係る移動電話装置の実施例を説明するための図である。
【図１０】この発明の実施の形態に係る移動電話装置の実施例を説明するための図である。
【図１１】従来の移動電話装置の動作を説明するためのフローチャートである。
【符号の説明】
１  制御部
２  表示部
３  通信処理部
４  記憶部
５  キー入力部
６  音声入出力部
７  アンテナ
１０  ＲＦ信号処理部
１１  ベースバンド信号処理部
２０  ＰＬＬ回路
２１  レベル測定器
３０  チャンネル格納部
３１  チャンネル登録部
３２  スキャンモードフラグ
１００  移動電話装置
１５０  移動通信網
１６０  公衆回線網
ｆｒ１〜ｆｒ１８      フレーム
ｓｆ    スーパーフレーム
ｓｌ１〜ｓｌ６  スロット
Ａｒ    通信サービス圏
Ｂｓ    基地局
Ｃｐ    コンピュータ
Ｈｍ    自宅
Ｐｎ    電話
Ｓｃ１〜Ｓｃ３、Ｓｃ１０、Ｓｃ２０      セクタ
Ｓｗ    同期ワード
Ｚｎ１〜Ｚｎ３、Ｚｎ１０、Ｚｎ２０      ゾーン
【図１】
0003593279.tif 000002
【図２】
0003593279.tif 000003
【図３】
0003593279.tif 000004
【図４】
0003593279.tif 000005
【図５】
0003593279.tif 000006
【図６】
0003593279.tif 000007
【図７】
0003593279.tif 000008
【図８】
0003593279.tif 000009
【図９】
0003593279.tif 000010
【図１０】
0003593279.tif 000011
【図１１】
0003593279.tif 000012